(57)【要約】      （修正有）【課題】自然にクラブヘッドの軌跡が円運動となり、同時にゴルフクラブ全体の軌跡は平面に維持されながらインサイドインになるようにスイングされ、腕、体の軸及び足の動きのバランスを崩すことなく調和してボールは真っすぐ飛ばすことができるゴルフクラブのスウイング矯正用グリップを提供する。【解決手段】ゴルフクラブのスイング矯正用グリップＩは、スイング矯正用グリップＩを一体成型法で形成して得たもの又は二本の平行したグリップからなり、これらのグリップの一方が左手用グリップ１であり、他方が右手用グリップ２であり、これらグリップの上端部を接続部材で固定したもの又は更にこれらグリップの下端部も接続部材で固定した閉構造を有するものである。これらのスイング矯正用グリップの左手用グリップ１及び右手用グリップ２に識別表示を有することもできる。【選択図】図１
0003180863.tif 000002
【実用新案登録請求の範囲】
【請求項１】
二本の平行したグリップからなり、これらのグリップの一方が左手用ブリップであり、他方が右手用ブリップであり、これらグリップの上端部を接続部材で固定したことを特徴とするゴルフクラブのスイング矯正用グリップ。
【請求項２】
請求項１に記載のスイング矯正用グリップにおいて、更にこれらグリップの下端部も接続部材で固定した閉構造を有することを特徴とするゴルフクラブのスイング矯正用グリップ。
【請求項３】
スイング矯正用グリップの左手用ブリップ及び右手用ブリップに識別表示を有することを特徴とする請求項１又は請求項２に記載のゴルフクラブのスイング矯正用グリップ。
【請求項４】
請求項１又は請求項２に記載のスイング矯正用グリップを一体成型法で形成して得たものであることを特徴とするゴルフクラブのスイング矯正用グリップ。
【考案の詳細な説明】
【技術分野】
【０００１】
本考案は、ゴルフクラブのスイング矯正用グリップに関するもので、更に詳しくは、簡単な構造のグリップで、効果的に自己流のスイングを矯正し、正しいスタンスやスイングにすることができるゴルフクラブのスウイング矯正用グリップに関する。
【背景技術】
【０００２】
ゴルフが上達するためには数多く練習することも重要だが、初心者は、最初に十分な基礎練習が必要であるが、クラブの握り方やスイングが十分でない場合が多く、またコースに出る人でも自己流のスイングで、例えば、テークバックで手を先に動かしてしまう人、スイングのトップの位置で左傾（ひざが外側へ流れてしまう）する癖がある人が多い。したがって、これらの人たちが練習や矯正するために使用する道具が、従来より種々知られており、これらの練習具としては、直接本番用のゴルフクラブで練習するか、または室内等でも手軽に振って練習のできる柄の短いゴルフクラブが知られている（例えば、特許文献１参照）。またヘッド部で練習者の腕力に応じてシャフトの長さを調整することによって簡単に重量を調節することができるゴルフの素振り練習具も知られている（例えば、特許文献２参照）。
【先行技術文献】
【特許文献】
【０００３】
【特許文献１】実開平６−４１７６２号公報（実用新案登録請求の範囲、段落０００４、段落０００５、図１）
【特許文献２】実開昭６３−１２０６７４号公報（背景技術とその問題点の項、実施態様の使用方法と効果の項、第２図）
【特許文献３】特開２００１−３３２９（段落０００２、段落０００９、図５）
【考案の概要】
【考案が解決しようとする課題】
【０００４】
しかしながら、前述の如き特許文献１に記載されている如きゴルフ練習用アスレチックスイングクラブは、初心者等のグルフクラブの素振り練習用であり、特許文献２に記載のゴルフの素振り練習具は、特許文献１と同様素振り練習用であり、ゴルフクラブのスイング矯正用ではないためスタンス時に積極的に自己流のスイングを矯正し、正しいスタンスやスイングにすることができるものではなく、ゴルフクラブのスウイング矯正用グリップとはいえない。したがって、特許文献１や２の素振り練習具では、素振りにおける悪い点、テークバックでクラブがアウトサイドになっていることに気が付かないという問題がある。
【０００５】
そこで、本考案者は、上記問題点について種々検討するなか、スタンスしてゴルフクラブを素振りしたとき、テークバックでクラブがアウトサイドではなくインサイドから入るようになる、いわゆるスイングするとクラブヘッドの軌跡が円運動となり、同時にゴルフクラブ全体の軌跡は平面に維持されながらインサイドインになるようにスイングされるゴルフクラブのスウイング矯正用グリップを案出するに至った。
【０００６】
したがって、本考案が解決しようとする課題は、スイングすることにより自然にクラブヘッドの軌跡が円運動となり、同時にゴルフクラブ全体の軌跡は平面に維持されながらインサイドインになるようにスイングされ、腕、体の軸及び足の動きのバランスを崩すことなく調和してボールは真っすぐ飛ばすことができるという優れた効果を奏するゴルフクラブのスウイング矯正用グリップを提供することにある。
【課題を解決するための手段】
【０００７】
本考案の上記各課題は、以下の各考案によってそれぞれ達成される。
【０００８】
（１）二本の平行したグリップからなり、これらのグリップの一方が左手用ブリップであり、他方が右手用ブリップであり、これらグリップの上端部を接続部材で固定したことを特徴とするゴルフクラブのスイング矯正用グリップ。
（２）前記第１項に記載のスイング矯正用グリップにおいて、更にこれらグリップの下端部も接続部材で固定した閉構造を有することを特徴とするゴルフクラブのスイング矯正用グリップ。
（３）スイング矯正用グリップの左手用ブリップ及び右手用ブリップに識別表示を有することを特徴とする前記第１項又は第２項に記載のゴルフクラブのスイング矯正用グリップ。
（４）前記第１項乃至第３項のいずれかに記載のスイング矯正用グリップを一体成型法で形成して得たものであることを特徴とするゴルフクラブのスイング矯正用グリップ。
【考案の効果】
【０００９】
本考案の第１項に記載のゴルフクラブのスイング矯正用グリップは、二本の平行したグリップからなり、これらのグリップの一方が左手用ブリップであり、他方が右手用ブリップであり、これらのグリップの上端部を接続部材で固定したことを特徴とするもので、二本の平行したグリップのうち、短い１本目のグリップは、左手（左利きの人は右手）で握り、長い２本目のグリップの上部を右手（左利きの人は左手）で握る。この状態で普通にアドレスすることにより、必然的に体に対してグリップの位置が適正の位置に納まり、スイングすると両手を合わせて（１本のグリップで）テークバックしたときに比べて体のインサイドにテークバックされる。このことは左手の方が右手よりも遅れる形になり、これによってインサイド・インのスイングを実現できるという優れた効果を奏するものである。即ち適正なスイングはインサイド・インに振らなければより真っすぐな飛び方をしないからである。
【００１０】
また前記の本考案の第２項に記載のゴルフクラブのスイング矯正用グリップは、前記第１項に記載のスイング矯正用グリップにおいて、更にこれらグリップの下端部も接続部材で固定した閉構造を有することにより、前記第１項に記載のゴルフクラブのスイング矯正用グリップの効果に加えて、環状体が形成されるので、安定的に強度が増加し、破壊される恐れが減少するという優れた効果を奏するものである。
【００１１】
前記の本考案の第３項に記載のゴルフクラブのスイング矯正用グリップは、前記第１項又は第２項に記載のゴルフクラブのスイング矯正用グリップにおいて、スイング矯正用グリップの左手握り部及び右手握り部に識別表示を有することにより、前記第１項又は第２項に記載のゴルフクラブのスイング矯正用グリップの効果に加えて、左手握り部及び右手握り部の位置が簡単にわかるという優れた効果を奏するものである。
【００１２】
前記の本考案の第４項に記載のゴルフクラブのスイング矯正用グリップは、前記第１項乃至第３項のいずれかに記載のゴルフクラブのスイング矯正用グリップにおいて、該矯正用グリップを一体成型法で形成して得たものであることにより簡単に製造できるばかりでなく、頑丈でしかも適度の重量に調整することができるという優れた効果を奏するものである。
【図面の簡単な説明】
【００１３】
【図１】本考案のゴルフクラブのスイング矯正用グリップを一体成型法で成型した形状を示す正面図である。
【図２】本考案に用いられる棒状部材のＡ−Ｂの断面を示す断面図である。図２のａは、棒状部材が内密充填材であり、図２のｂは、棒状部材が菅状部材である。
【図３】本考案のゴルフクラブのスイング矯正用グリップの使用状態を示す図面であって、それぞれグリップを握ったところを示す斜視図である。
【図４】本考案のゴルフクラブのスイング矯正用グリップの使用状態を示す図面であって、右手用グリップの上部を右手で、下部を左手で握ったところを示す斜視図である。
【図５】本考案のゴルフクラブのスイング矯正用グリップを棒状部材を接続して作成した形状の略正面図である。ａは下部が開形状の小刀形状、ｂは下部が開形状のコの字型、ｃは上部が対称山型、ｄはアーチ状型を示す正面図である。
【図６】本考案のゴルフクラブのスイング矯正用グリップを棒状部材を接続して作成した形状の略正面図である。ａは下部が閉構造の小刀形状、ｂは下部が閉構造の方形型、ｃは閉構造の五角形状型、ｄは閉構造のアーチ型を示す正面図である。
【考案を実施するための形態】
【００１４】
以下に、本考案の実施の形態を図面で説明するが、本考案は、これに限定されるものではない。本願実用新案登録請求の範囲及び明細書中で、「閉構造」は、図６のａ、ｂ、ｃ、ｄに示される如く、下部が接続部材によって接続された環状構造を意味し、「開構造」は、図５のａ、ｂ、ｃ、ｄに示される如く、下端部が開放されている形状を意味する。本考案のゴルフクラブのスイング矯正用グリップは、一体成型法で形成して得たものが好ましい点からみて、図１を用いて本考案の一例を説明する。図１において、五角形形状であって、上部が片側にのみ傾斜した形状、いわゆる切り出しナイフ形状からなる。この形状には、開構造と閉構造があり、これらの製造は、一体成型法で製作するのが好ましく、具体的には、型枠が用いられる。また型枠としては、金型、木型等適宜のものが使用される。また成形材料としては、後述する金属材料、例えばアルミ材、プラスチックス等が好ましく用いられる。また一体成形で形成されるスイング矯正用グリップ形状乃至構造には、図５及び図６に示されるものを同様にして製作することができる。なお、一体成型法自体は、従来より公知であるが、この一体成型法を用いて製作された上記スイング矯正用グリップは本考案の範囲にある。
【００１５】
図５は、下端が開形状のスイング矯正用グリップであり、図６は、図５の下端を閉構造としたものである。したがって、本考案のゴルフクラブのスイング矯正用グリップＩを一体成形で成形しない場合には、これらの形状乃至構造は、図５及び図６に示されるように棒状部材を接続部材で接続して製造され、その接続形態はいくつかの種類からなる。本考案の第１項に記載の形状は、二本の平行したグリップからなり、これらのグリップの一方が左手用ブリップであり、他方が右手用ブリップであり、これらグリップの上端部を接続部材で固定したものからなり、これらは図５に示される。図５において、図５のａは、グリップ１，２は、短い棒状部材１と長い棒状部材２からなり、まず短い棒状部材１と長い棒状部材２の上端を同質の棒状接続部材７で接続することにより下部が開形状の小刀形状の矯正用グリップが形成される。また図５のｂは、同じ長さの棒状部材２を用いて同様に上端を棒状接続部材７で固定することにより下部が開形状のコの字型の矯正用グリップが形成される。図５のｃは、２本の長い棒状部材２の上端を同質の棒状接続部材７で山型状に接続し、下部が開形状としたものである。図５のｄは、２本の長い棒状部材２の上端を同質の棒状部材でアーチ状９に接続し、下部が開形状としたものである。更に本考案の第２項に記載のスイング矯正用グリップは、第１項に記載のスイング矯正用グリップにおいて、更に下端部も接続部材で固定した閉構造を有するものである。
【００１６】
図６において、図６のａは、グリップ１，２は、短い棒状部材１と長い棒状部材２からなり、まず短い棒状部材１と長い棒状部材２の上端を同質の棒状接続部材７で接続すると共に下部を同質の棒状接続部材８で接着剤を用いて水平に接続して水平部を形成して閉構造とした環状の小刀形状の矯正用グリップを形成する。図６のｂは、同じ長さの棒状部材２を用いて同様に上端及び下端を棒状接続部材７、８で固定することにより下部が閉構造とした環状の長方形型の矯正用グリップが形成される。図６のｃは、２本の長い棒状部材２の上端を同質の棒状部材７で山型状に接続し、下部を棒状接続部材８で水平に接続して閉構造とした環状の五角形（野球のベース状）としたものである。図６のｄは、２本の長い棒状部材２の上端を同質の棒状接続部材７でアーチ状９に接続し、下部を接続部材８で水平に接続して環状のトンネル形状の閉構造としたものである。接続の仕方は、適宜の固定方法、例えば金属材料としては、例えばアルミ材としては、アルミ鋳物、管状アルミ材、棒状アルミ材、場合によっては真鍮や鋼材でもよく、これらの場合には、溶接、嵌め込み、ネジ等を使用して行なうことができ、また木材、プラスチックス等の場合には、成形、融解溶接、接着剤による接着、ネジ等による固定等で接続することができる。本考案のゴルフクラブのスイング矯正用グリップＩの棒状部材は、棒状又は管状の素材を用いて製作することができる。なお、棒状接続部材は、断面円形でなくてもよく、例えば、三角形、四角形（長方形を含む）、五角形乃至多角形のいずれでもよい。
【００１７】
図６を用いて本考案を具体的に説明する。図６のａにおいて、グリップ１，２は、木質材からなる短い棒状部材（左手用グリップを構成する。）１と長い棒状部材（右手用グリップを構成する。）２からなる。これらの棒状部材としては、例えば、図２のａに示される内密棒状部材１２や図２のｂに示される管状棒状部材１３が用いられる。まず短い棒状部材１と長い棒状部材２の上端を同質の棒状接続部材７で接続すると傾斜部が形成される。更に下端は同質の棒状接続部材８を接着剤で接続して水平部を形成する。得られた矯正用グリップＩは、上部が小刀状に尖った略山型が形成され、下端は棒状接続部材８で水平に接続された、いわゆる閉構造を有している。図５及び図６に示される接触部は接続部１０を表わし、材質によって接続部１０の位置、形状、構造等が異なることはいうまでもない。本考案の矯正用グリップＩの寸法は、例示的に示すものであるが、これらの寸法の値に限定されるものではない。例えば、短い棒状部材１は１９０ｍｍであり、長い棒状部材２は３００ｍｍであり、また棒状部材１、２の直径は２０ｍｍである（図２参照）。また短い棒状部材１と長い棒状部材２との間隔は６０ｍｍである。更に傾斜部の長さは内側で１００ｍｍであり、全幅は、１００ｍｍである。このように本考案のスイング矯正用グリップＩは、左手５と右手６がそれぞれ離れた位置でグリップを握ってテークバックする（図３参照）ので、両手を合わせてテークバックしたときに比べて体のインサイドにテークバックでき、即ち左手５の方が右手６よりも遅れてスイングされる結果、バックスイングのトップの位置が適正な位置になり、ボールは真っすぐに飛ぶようになる。また比較的コンパクトであるので、Ｂ４封筒に入れて持ち運ぶことができるので、練習したいとき、部屋の中や狭い庭等の適宜の場所で使用することができる。
【００１８】
本考案のゴルフクラブのスイング矯正用グリップＩの使い方について、図３及び図４を用いて説明すると、図３は、本考案のゴルフクラブのスイング矯正用グリップの使用状態を示す図面であって、それぞれグリップを握ったところを示す斜視図である。図３において、まず、左手５で左手用グリップ１の中間付近を通常のグリップを握るように親指が上面にくるように握り、一方右手用グリップ２は、右手６で該グリップの上部３を通常のグリップを握るように親指が側面にくるように握る。このように、それぞれ左手用グリップ１と右手用グリップ２を握り、この状態で普通にアドレス（スタンスして体の前でグリップする。）すると、無理なく自然に体に対してグリップの位置が適正な位置に納まる。これは左手用グリップ１と右手用グリップ２との間隔があるため１本のゴルフクラブを適正な態様で握るのと同じ握りとなる。アドレスでクラブを持ってスタンスし、テークバックしたとき、クラブがアウトサイドに上がると体が開き、またテークバックで手を先に動かしてしまったり、スイングのトップの位置で左傾（ひざが外側に流れてしまうこと）したりして、ボールが思い通りに飛ばない。そこで、本考案のスイング矯正用グリップＩを使用することにより、左手用グリップ１を左手５で握り、右手用グリップ２の上部グリップ位置３の場所を握るように、左手５と右手６がそれぞれ離れた位置でグリップを握ってテークバックするので、両手を合わせてテークバックしたときに比べて体のインサイドにテークバックでき、即ち左手５の方が右手６よりも遅れてスイングされる結果、バックスイングのトップの位置が適正な位置になり、ボールは真っすぐに飛ぶようになる。
【００１９】
本考案のスイング矯正用グリップＩを使用して練習をしアドレスの位置を習得したら、次に、図４に示されるように、右手６はそのまま右手用グリップ２の上部グリップ位置３の場所でそのまま握って置き、左手５を右手用グリップ２の下部グリップ位置４の場所を握る（両手を合わせるグリップ）。この状態で練習を繰り返し、スイング間隔を習得する。更に図３に示されるようなグリップの握り方で練習してなれてきたら、次に図４に示されるようなグリップの握り方で演習し慣れてきたら、また図３に示されるようなグリップの握り方で練習するというように、即ち交互に繰り返し練習することによってゴルフが必然的に上達する。本考案のスイング矯正用グリップＩの使用は、初心者から中級者など、特にスコアが１００打を超えるような人が対象ではあるが、これに限定されるものではなく、上級者といえどもテークバックの矯正用として好ましく使用することができる。
【００２０】
本考案のゴルフクラブのスイング矯正用グリップＩは、スイング矯正用グリップの左手握り部（上部握手位置）及び右手握り部（下部握手位置）に識別表示部３、４を有することができ、識別表示部３、４が色彩のときは、それらの境界を一点鎖線で示している（図１参照）。この場合に用いられる識別表示としては、文字、数字、色彩、模様、図形、手型（手の握り跡）等でよく、特に限定されるものではない。例えば、色彩による塗装の場合には、左手用グリップ１には赤色で表示し、右手用グリップ２の上部には青色で表示すると共にその下部には、左手用の赤色を表示する。更にまた本考案では、左手用グリップ（短い棒状部材）１又は右手用グリップ（長い棒状部材）２の先端（上端）にヘッドを有するシャフトを接続して素振り用練習具とすることもできる。
【産業上の利用可能性】
【００２１】
本考案のゴルフクラブのスイング矯正用グリップを使用することにより、必然的に体に対してグリップの位置が適正の位置に納まり、スイングすると両手を合わせて（１本のグリップで）テークバックしたときに比べて体のインサイドにテークバックされるので、初心者や中級者に適正なアドレスに矯正することができ、実用上極めて有用なスイング矯正用グリップが得られる。
【符号の説明】
【００２２】
１  左手用グリップ（棒状部材）
２  右手用グリップ（棒状部材）
３  上部握手位置
４  下部握手位置
５  左手
６  右手
７、８  棒状接続部材
９  湾曲棒状接続部材
１０  接続部
１１  表示境界
１２  内密棒状部材
１３  管状棒状部材
Ｉ  ゴルフクラブのスイング矯正用グリップ
【図１】
0003180863.tif 000003
【図２】
0003180863.tif 000004
【図３】
0003180863.tif 000005
【図４】
0003180863.tif 000006
【図５】
0003180863.tif 000007
【図６】
0003180863.tif 000008
【手続補正書】
【提出日】平成24年10月4日(2012.10.4)
【手続補正１】
【補正対象書類名】明細書
【補正対象項目名】０００８
【補正方法】変更
【補正の内容】
【０００８】
（１）二本の平行したグリップからなり、これらのグリップの一方が左手用グリップであり、他方が右手用グリップであり、これらグリップの上端部を接続部材で固定したことを特徴とするゴルフクラブのスイング矯正用グリップ。
（２）前記第１項に記載のスイング矯正用グリップにおいて、更にこれらグリップの下端部も接続部材で固定した閉構造を有することを特徴とするゴルフクラブのスイング矯正用グリップ。
（３）スイング矯正用グリップの左手用グリップ及び右手用グリップに識別表示を有することを特徴とする前記第１項又は第２項に記載のゴルフクラブのスイング矯正用グリップ。
（４）前記第１項乃至第３項のいずれかに記載のスイング矯正用グリップを一体成型法で形成して得たものであることを特徴とするゴルフクラブのスイング矯正用グリップ。
【手続補正２】
【補正対象書類名】明細書
【補正対象項目名】０００９
【補正方法】変更
【補正の内容】
【０００９】
本考案の第１項に記載のゴルフクラブのスイング矯正用グリップは、二本の平行したグリップからなり、これらのグリップの一方が左手用ブリップであり、他方が右手用グリップであり、これらのグリップの上端部を接続部材で固定したことを特徴とするもので、二本の平行したグリップのうち、短い１本目のグリップは、左手（左利きの人は右手）で握り、長い２本目のグリップの上部を右手（左利きの人は左手）で握る。この状態で普通にアドレスすることにより、必然的に体に対してグリップの位置が適正の位置に納まり、スイングすると両手を合わせて（１本のグリップで）テークバックしたときに比べて体のインサイドにテークバックされる。このことは左手の方が右手よりも遅れる形になり、これによってインサイド・インのスイングを実現できるという優れた効果を奏するものである。即ち適正なスイングはインサイド・インに振らなければより真っすぐな飛び方をしないからである。
【手続補正３】
【補正対象書類名】明細書
【補正対象項目名】００１５
【補正方法】変更
【補正の内容】
【００１５】
図５は、下端が開形状のスイング矯正用グリップであり、図６は、図５の下端を閉構造としたものである。したがって、本考案のゴルフクラブのスイング矯正用グリップＩを一体成形で成形しない場合には、これらの形状乃至構造は、図５及び図６に示されるように棒状部材を接続部材で接続して製造され、その接続形態はいくつかの種類からなる。本考案の第１項に記載の形状は、二本の平行したグリップからなり、これらのグリップの一方が左手用グリップであり、他方が右手用グリップであり、これらグリップの上端部を接続部材で固定したものからなり、これらは図５に示される。図５において、図５のａは、グリップ１，２は、短い棒状部材１と長い棒状部材２からなり、まず短い棒状部材１と長い棒状部材２の上端を同質の棒状接続部材７で接続することにより下部が開形状の小刀形状の矯正用グリップが形成される。また図５のｂは、同じ長さの棒状部材２を用いて同様に上端を棒状接続部材７で固定することにより下部が開形状のコの字型の矯正用グリップが形成される。図５のｃは、２本の長い棒状部材２の上端を同質の棒状接続部材７で山型状に接続し、下部が開形状としたものである。図５のｄは、２本の長い棒状部材２の上端を同質の棒状部材でアーチ状９に接続し、下部が開形状としたものである。更に本考案の第２項に記載のスイング矯正用グリップは、第１項に記載のスイング矯正用グリップにおいて、更に下端部も接続部材で固定した閉構造を有するものである。
【手続補正４】
【補正対象書類名】実用新案登録請求の範囲
【補正対象項目名】全文
【補正方法】変更
【補正の内容】
【実用新案登録請求の範囲】
【請求項１】
二本の平行したグリップからなり、これらのグリップの一方が左手用グリップであり、他方が右手用グリップであり、これらグリップの上端部を接続部材で固定したことを特徴とするゴルフクラブのスイング矯正用グリップ。
【請求項２】
請求項１に記載のスイング矯正用グリップにおいて、更にこれらグリップの下端部も接続部材で固定した閉構造を有することを特徴とするゴルフクラブのスイング矯正用グリップ。
【請求項３】
スイング矯正用グリップの左手用グリップ及び右手用グリップに識別表示を有することを特徴とする請求項１又は請求項２に記載のゴルフクラブのスイング矯正用グリップ。
【請求項４】
請求項１又は請求項２に記載のスイング矯正用グリップを一体成型法で形成して得たものであることを特徴とするゴルフクラブのスイング矯正用グリップ。